(57)【要約】【課題】ＳＤＩ方式の伝送信号およびその改良方式の伝送信号のいずれが入力されても、自動的にこれらの方式に応じて映像・音声データを表示する。【解決手段】データ表示装置１は、ＳＤＩ方式の伝送用パケットと、その改良方式（ＳＤＤＩ方式）の伝送用パケットとが混在する伝送信号ＶＤを受信し、ＳＤＤＩ方式の伝送用パケットのアンシラリデータ部に含まれるデータを用いて、ＳＤＩ方式の伝送用パケットとを識別し、それぞれに適合した復号伸長処理等を行ってモニタ装置１５０に表示する。【選択図】図１
2007143174.tif 000002
【特許請求の範囲】
【請求項１】
非圧縮映像または所定の方法で圧縮符号化された圧縮映像を含む第１のデータ部分と所定のパケット種別データと前記第１のデータ部分の映像データの圧縮・非圧縮の種別や圧縮符号化の方法を示す属性データとを所定の位置に含む第１の制御部分とを有する第１の伝送用パケットであるＳＤＤＩ方式の伝送パケットと、前記第１のデータ部分および第１の制御部分とそれぞれ同一のデータ長を有し非圧縮映像データを含む第２のデータ部分と第２の制御部分とを有する第２の伝送用パケットであるのＳＤＩ方式の伝送パケットとを伝送用パケットとして含む伝送信号を受信し、表示するデータ表示装置であって、
所定の伝送路から前記伝送信号を受信する受信手段と、
受信された前記伝送信号の前記伝送用パケットの所定の位置からそれぞれ前記パケット種別データを検出する第１の検出手段と、
前記属性データを検出する第２の検出手段と、
前記第２の検出手段により検出された前記属性データに応じた方法で前記圧縮映像データを伸長復号して復号映像データを生成する伸長復号手段と、
前記属性データに基づいて、前記第１の伝送用パケットであるＳＤＤＩ方式の伝送パケットの前記非圧縮映像データまたは前記復号映像データを選択する第１の選択手段と、
前記第１の検出手段により前記パケット種別データが検出された場合に、前記第１の選択手段が選択したデータを選択し、これ以外の場合に、前記第２の伝送用パケットであるＳＤＩ方式の伝送パケットの非圧縮映像データを選択する第２の選択手段と、
前記第２の選択手段で選択されたデータを表示する表示手段と、
を備えたデータ表示装置。
【請求項２】
非圧縮データまたは所定の方法で圧縮符号化された圧縮データを含む第１のデータ部分と、所定のパケット種別データと、前記第１のデータ部分のデータの圧縮・非圧縮の種別や前記圧縮符号化の方法を示す属性データとを所定の位置に含む第１の制御部分とを有する第１の伝送用パケットであるＳＤＤＩ方式の伝送パケットと、前記第１のデータ部分および第１の制御部分とそれぞれ同一のデータ長を有し非圧縮データを含む第２のデータ部分と第２の制御部分とを有する第２の伝送用パケットであるＳＤＩ方式の伝送パケットとを伝送用パケットとして含む伝送信号を受信し、出力するデータ受信装置であって、
所定の伝送路から前記伝送信号を受信する受信手段と、
受信された前記伝送信号の前記伝送用パケットの所定の位置からそれぞれ前記パケット種別データを検出する第１の検出手段と、
前記属性データを検出する第２の検出手段と、
前記第２の検出手段により検出された前記属性データに応じた方法で前記圧縮データを伸長復号して復号データを生成する伸長復号手段と、
前記属性データに基づいて、前記第１の伝送用パケットであるＳＤＤＩ方式の伝送パケットの前記非圧縮データまたは前記復号データを選択する第１の選択手段と、
前記第１の検出手段により前記パケット種別データが検出された場合に、前記第１の選択手段が選択したデータを選択し、これ以外の場合に、前記第２の伝送用パケットであるＳＤＩ方式の伝送パケットの非圧縮データを選択する第２の選択手段と、
前記第２の選択手段で選択されたデータを所定の形式の信号に変換して出力する変換手段と
を備えたデータ受信装置。
【発明の詳細な説明】
【技術分野】
【０００１】
本発明は、ＳＭＰＴＥ−２９５Ｍとして標準化されているＳＤＩ方式の伝送用パケットと、これを改良して圧縮映像データの伝送を可能とした方式の伝送用パケットとが混在する伝送信号を受信し、伝送信号に含まれる映像・音声データを表示するデータ表示装置およびデータ受信装置に関する。
【背景技術】
【０００２】
放送局等において、ＳＭＰＴＥ（Society of Motion Picture and Televison Engineerings）のＳＭＰＴＥ−２９５Ｍに標準化されているＳＤＩ（Serial Digital Interface）方式が広く用いられている。このＳＤＩ方式は、圧縮符号化されていない非圧縮映像・音声データを、１７２０Ｗ（１Ｗ１０ビット、但し５２５ライン構成の場合）構成の伝送用パケットを用いて、データ速度２７０Ｍｂｐｓシリアル形式のデータとして放送局の機器間で伝送する方式である。
一方、最近の映像・音声データ圧縮技術の進歩に鑑みて、ＳＤＩ方式を改良し、非圧縮映像データおよび圧縮符号化した圧縮映像・音声データ、またはこれらのいずれかを、ＳＤＩ方式の伝送用パケットと互換性がある伝送パケットを用い、同じくデータ速度２７０Ｍｂｐｓシリアル形式のデータとして伝送する方式、（以下、「ＳＤＤＩ（Serial Digital Data Interface）方式」と記す）が提案されている。
【０００３】
ＳＤＩ方式とＳＤＤＩ方式との互換性は高く、伝送の際のデータ速度が同じことから、これら２つの方式の伝送信号は同一の伝送路を介した伝送が可能である。さらに、ＳＤＤＩ方式の伝送用パケットの構成は、圧縮映像・音声データの圧縮符号化方法等を示す制御用データを附加することができるようになっている以外は、ほぼＳＤＩ方式の伝送用パケットと形式的に同じなので、これらの方式の伝送信号を取り扱う機器のかなりの部分を共通化することができる。
【発明の開示】
【発明が解決しようとする課題】
【０００４】
このように、信号伝送方式としてＳＤＩ方式とＳＤＤＩ方式は高い互換性を有する。しかし、ＳＤＩ方式の伝送用パケットには非圧縮映像・音声データのみが含まれるのに対し、ＳＤＤＩ方式の伝送用パケットには、非圧縮映像・音声データおよび圧縮映像データ、またはこれらのいずれかが含まれる。
従って、ＳＤＩ方式の映像・音声データがＳＤＤＩ方式の伝送信号を取り扱う機器に入力された場合、ＳＤＤＩ方式の伝送信号の処理に必要な制御データが含まれていないために、送られてきた映像・音声データを処理できないことになる。一方、圧縮映像・音声データを含むＳＤＤＩ方式の伝送信号をＳＤＩ方式の伝送信号を取り扱う機器に入力した場合、この機器は圧縮映像・音声データを非圧縮映像・音声データとして処理してしまうので、正常な映像を得ることができないことになる。
【０００５】
他に、ＳＤＩ方式とＳＤＤＩ方式との伝送信号が混在しうる場合、アダプタ装置を用いて、ＳＤＩ方式の映像・音声データをＳＤＤＩ方式の映像・音声データに変換してからＳＤＤＩ方式の伝送信号を取り扱う機器に入力する等が考えられる。しかし、この方法によると、伝送信号の方式が変わるたびにアダプタの取り付け・取り外し、または、アダプタ装置の設定変更等が必要となるので不便である。
【０００６】
本発明は、上述した従来技術の問題点に鑑みてなされたものであり、ＳＤＩ方式の伝送信号およびＳＤＤＩ方式の伝送信号のいずれが入力されても、自動的にこれらの方式に応じて映像・音声データを処理し、表示することができるデータ表示装置を提供することを目的とする。
また、本発明は、アダプタ装置等の附加なしにＳＤＩ方式およびＳＤＤＩ方式のいずれの伝送信号に含まれる映像・音声データをも表示することができ、伝送信号の方式が切り替わった場合にも、利用者に手間をかけることなくそのまま映像・音声データを表示することができるデータ表示装置および受信装置を提供することを目的とする。
【課題を解決するための手段】
【０００７】
上記目的を達成するために、本発明に係るデータ表示装置は、非圧縮映像または所定の方法で圧縮符号化された圧縮映像を含む第１のデータ部分と所定のパケット種別データと前記第１のデータ部分の映像データの圧縮・非圧縮の種別や圧縮符号化の方法を示す属性データとを所定の位置に含む第１の制御部分とを有する第１の伝送用パケットであるＳＤＤＩ方式の伝送パケットと、前記第１のデータ部分および第１の制御部分とそれぞれ同一のデータ長を有し非圧縮映像データを含む第２のデータ部分と第２の制御部分とを有する第２の伝送用パケットであるのＳＤＩ方式の伝送パケットとを伝送用パケットとして含む伝送信号を受信し、表示するデータ表示装置であって、所定の伝送路から前記伝送信号を受信する受信手段と、受信された前記伝送信号の前記伝送用パケットの所定の位置からそれぞれ前記パケット種別データを検出する第１の検出手段と、前記属性データを検出する第２の検出手段と、前記第２の検出手段により検出された前記属性データに応じた方法で前記圧縮映像データを伸長復号して復号映像データを生成する伸長復号手段と、前記属性データに基づいて、前記第１の伝送用パケットであるＳＤＤＩ方式の伝送パケットの前記非圧縮映像データまたは前記復号映像データを選択する第１の選択手段と、前記第１の検出手段により前記パケット種別データが検出された場合に、前記第１の選択手段が選択したデータを選択し、これ以外の場合に、前記第２の伝送用パケットであるＳＤＩ方式の伝送パケットの非圧縮映像データを選択する第２の選択手段と、前記第２の選択手段で選択されたデータを表示する表示手段とを有する。
【０００８】
また、上記目的を達成するために、本発明に係るデータ受信装置は、非圧縮データまたは所定の方法で圧縮符号化された圧縮データを含む第１のデータ部分と、所定のパケット種別データと、前記第１のデータ部分のデータの圧縮・非圧縮の種別や前記圧縮符号化の方法を示す属性データとを所定の位置に含む第１の制御部分とを有する第１の伝送用パケットであるＳＤＤＩ方式の伝送パケットと、前記第１のデータ部分および第１の制御部分とそれぞれ同一のデータ長を有し非圧縮データを含む第２のデータ部分と第２の制御部分とを有する第２の伝送用パケットであるＳＤＩ方式の伝送パケットとを伝送用パケットとして含む伝送信号を受信し、出力するデータ受信装置であって、所定の伝送路から前記伝送信号を受信する受信手段と、受信された前記伝送信号の前記伝送用パケットの所定の位置からそれぞれ前記パケット種別データを検出する第１の検出手段と、前記属性データを検出する第２の検出手段と、前記第２の検出手段により検出された前記属性データに応じた方法で前記圧縮データを伸長復号して復号データを生成する伸長復号手段と、前記属性データに基づいて、前記第１の伝送用パケットであるＳＤＤＩ方式の伝送パケットの前記非圧縮データまたは前記復号データを選択する第１の選択手段と、前記第１の検出手段により前記パケット種別データが検出された場合に、前記第１の選択手段が選択したデータを選択し、これ以外の場合に、前記第２の伝送用パケットであるＳＤＩ方式の伝送パケットの非圧縮データを選択する第２の選択手段と、前記第２の選択手段で選択されたデータを所定の形式の信号に変換して出力する変換手段とを有する。
【０００９】
ＳＤＤＩ方式の伝送用パケット（第１の伝送用パケット）は、非圧縮映像・音声データまたは所定の方法で圧縮符号化された圧縮映像・音声データを含むデータ部分と、当該伝送用パケットがＳＤＤＩ方式のものであることを示すパケット種別データと、データ部分の映像・音声データが圧縮されているか非圧縮であるかの別、または、データ部分の映像・音声データが圧縮符号化されている場合、その圧縮符号化方式の種類（圧縮符号化の方法）を示す属性データとを、所定の位置に含む制御部分（ＡＮＣ）とを有する。
ＳＤＩ方式の伝送用パケット（第２の伝送用パケット）は、ＳＤＤＩ方式の伝送用パケットのデータ部分およびＡＮＣ部とそれぞれ同一のデータ長であって、非圧縮映像・音声データを含むデータ部分と、通常、水平ブランキング期間のデータが含まれる制御部分（水平ブランキング期間部）とを有する。
【００１０】
本発明に係るデータ表示装置は、これらＳＤＩ方式の伝送用パケットとＳＤＤＩ方式の伝送用パケットが混在する伝送信号を受信し、伝送信号に含まれる映像・音声データを表示するデータ表示装置であって、受信手段は、伝送路から伝送信号を受信する。
検出手段は、受信信号の伝送用パケットがＳＤＤＩ方式のものであるかＳＤＩ方式のものであるかにかかわらず、受信された伝送信号の伝送用パケットの所定の位置をチェックし、ＳＤＤＩ方式のパケット種別データを検出する。
【００１１】
伸長復号手段は、ＳＤＤＩ方式の伝送用パケットのＡＮＣ部に含まれる属性データに応じた方法で、データ部に含まれる圧縮映像・音声データを伸長復号して復号映像・音声データを生成する。
選択手段は、ＳＤＤＩ方式の属性データに基づいて、非圧縮映像・音声データおよび復号映像・音声データのいずれかを選択する。
表示装置は、伝送信号中にパケット種別データが検出された場合、つまり、伝送信号がＳＤＤＩ方式のものである場合に、選択手段が選択したデータ（非圧縮映像・音声データまたは復号映像・音声データ）を選択し、これ以外の場合、つまり、伝送信号がＳＤＩ方式のものである場合に、第２の伝送用パケットの非圧縮映像・音声データを選択して表示する。
【発明の効果】
【００１２】
以上説明したように、本発明によれば、ＳＤＩ方式の伝送信号およびＳＤＤＩ方式の伝送信号のいずれが入力されても、自動的にこれらの方式に応じて映像・音声データを処理し、表示することができる。
また、本発明に係るデータ表示装置によれば、ダプタ装置等の附加なしにＳＤＩ方式およびＳＤＤＩ方式のいずれの伝送信号に含まれる映像・音声データをも表示することができる。
また、本発明によれば、伝送信号の方式がＳＤＩ方式とＳＤＤＩ方式との間で切り替わった場合にも、利用者に手間をかけることなくそのまま映像・音声データを表示することができる。
【発明を実施するための最良の形態】
【００１３】
以下、本発明の実施の形態を説明する。
図１は、本発明に係るデータ表示装置１の構成を示す図である。
図２は、ＳＭＰＴＥ−２９５Ｍに標準化されているＳＤＩ方式の伝送用パケットの構成を示す図である。
図３は、図２に示したＳＤＩ方式を改良し、圧縮映像・音声データを伝送可能にしたＳＤＤＩ方式の伝送用パケットの構成を示す図である。
【００１４】
図１に示すように、データ表示装置１は、ＢＮＣコネクタ１００、シリアル／パラレル変換回路（Ｓ／Ｐ回路）１０２、ＳＤＩデコーダ回路１１０、ＳＤＤＩデコーダ回路１２０、復号回路１２２1〜１２２n、第１のスイッチ回路（ＳＷ１）１２４、記憶装置（ＭＥＭ）１２６、第２のスイッチ回路（ＳＷ２）１３０、キャラクタジェネレータ回路（ＣＧ回路）１３２、ビデオインターフェース回路（ＶＩＦ回路）１３４、制御回路（ＣＰＵ）１４０、端末装置１４２、バス１４４およびモニタ装置１５０から構成される。
【００１５】
データ表示装置１は、図２および図３に示すＳＤＤＩ方式の伝送用パケットとＳＤＩ方式の伝送用パケットとが混在する伝送信号ＶＤを受信し、ＳＤＤＩ方式の伝送用パケットとＳＤＩ方式の伝送用パケットとを識別して、それぞれに適合した処理を行って、モニタ装置１５０に表示する。
図２に示すように、ＳＤＩ方式の伝送用パケットは、１７２０Ｗ（ただし５２５ライン構成の場合、１Ｗ＝１０ビット）構成であり、１つの伝送用パケットが映像の１ラインに相当する。第０Ｗ〜第１４３９Ｗには有効な非圧縮の映像・音声データ（ＡＶ；Active Video）が含まれ、第１４４４Ｗ〜第１７１５Ｗには水平ブランキング期間のデータが含まれる。
【００１６】
映像・音声データと水平ブランキング期間の間、第１７１６Ｗ〜第１７１９Ｗには同期データＳＡＶ（Start of Active Video）が、第１４４０Ｗ〜第１４４３Ｗには同期データＥＡＶ（End of Active Video）が含まれる。こららの同期データＳＡＶ，ＥＡＶの内容は、いずれも３ＦＦｈ，００ｈ，００ｈ，ＸＹＺである。
ＳＤＩ方式の伝送用パケットは、伝送路上においては２７０Ｍｂｐｓでシリアル伝送され、映像機器内では図２に示したように、２７Ｍｂｐｓで１０ビットパラレル形式のデータとして取り扱われる。
【００１７】
図３（Ａ）に示すように、ＳＤＤＩ方式の伝送用パケットも、図２に示したＳＤＩ方式の伝送用パケットと同様に１７２０Ｗ（５２５ライン構成）で構成される。ＳＤＤＩ方式の伝送用パケットの第０Ｗ〜第１４３９Ｗは、非圧縮または所定の方法、例えばＭＰＥＧ１、ＭＰＥＧ２あるいはＪＰＥＧ等の方式により圧縮符号化された映像・音声データが含まれるペイロード部（ＰＡＤ）として用いられ、第１４４３Ｗ〜第１７１５Ｗは、アンシラリデータ部（ＡＮＣ）として用いられ、さらに、ＳＤＩ方式の伝送用パケットと同様に、第１４４０Ｗ〜第１４４３Ｗには同期データＥＡＶが、第１７１６Ｗ〜第１７１９Ｗには同期データＳＡＶがある。
【００１８】
図３（Ｂ）に示すように、アンシラリデータ部にはヘッダが含まれており、ヘッダには、ヘッダフラグ、データタイプ（ＩＤ）、ＡＵＸ領域、宛先アドレス、発信元アドレス、ブロックタイプおよびチェックサムの各データが含まれる。
ヘッダフラグは、続く領域がヘッダであることを示す。
ＳＤＤＩ方式の伝送用パケットは、互換性を保つためにＳＤＩ方式の伝送用パケットと同じに用いられる場合があり、これらを区別する必要がある。このため、データタイプ（ＩＤ）の内容は、その伝送用パケットがＳＤＤＩ方式の伝送用パケットとして用いられる場合には０１ｈとなり、その伝送用パケットがＳＤＩ方式の伝送用パケットとして用いられる場合には００ｈとなる。なお、ＳＤＩ方式の伝送用パケットの水平ブランキング期間の先頭には、ヘッダフラグとデータタイプとを合わせたデータが現れることはない。
【００１９】
ＡＵＸ領域には、その伝送用パケットのペイロード部に含まれる圧縮映像・音声データのブロック番号およびライン番号等、圧縮映像・音声データを伸長復号する際に必要となるデータが含まれる。
宛先アドレスには、その伝送用パケットの送り先の機器の識別子が含まれ、発信元アドレスには、その伝送用パケットを発信した機器の識別子が含まれる。
ブロックタイプは、その伝送用パケットのペイロード部に含まれる映像・音声データが非圧縮映像・音声データであるか、または、ペイロード部に含まれる映像・音声データが圧縮されている場合、その圧縮映像・音声データの圧縮方法、例えばＭＰＥＧ１、ＭＰＥＧ２あるいはＪＰＥＧの別を示す。
チェックサムは、ヘッダの誤り検出に用いられる。
【００２０】
再び、図１を参照してデータ表示装置１の各部分の構成を説明する。
ＢＮＣコネクタ１００は、伝送路とデータ表示装置１とを接続し、ＳＤＤＩ方式の伝送用パケットとＳＤＩ方式の伝送用パケットとを伝送用パケットとして含む伝送信号ＶＤをデータ表示装置１に導く。
Ｓ／Ｐ回路１０２は、伝送路からＢＮＣコネクタ１００を介して入力されたシリアル形式の伝送信号ＶＤを、図２または図３に示したように１０ビットパラレル形式に変換し、ＳＤＩデコーダ回路１１０およびＳＤＤＩデコーダ回路１２０に対して出力する。
【００２１】
ＳＤＩデコーダ回路１１０は、図２に示したＳＤＩ方式の伝送用パケットから、水平ブランキング期間に含まれることがある制御用データおよび同期データＥＡＶ，ＳＡＶを検出して制御信号Ｃ１１０およびバス１４４を介して制御回路１４０に対して出力し、非圧縮映像・音声データを分離し、映像・音声データＳ１１０としてスイッチ回路１３０に対して出力する。
【００２２】
ＳＤＤＩデコーダ回路１２０は、図３に示したＳＤＤＩ方式の伝送用パケットのアンシラリ領域のヘッダに含まれる各データ、ペイロード領域に含まれることがある制御用のデータ、および、同期データＥＡＶ、ＳＡＶを検出して制御信号Ｃ１２０およびバス１４４を介して制御回路１４０に対して出力し、ペイロード部に含まれる圧縮映像・音声データまたは非圧縮映像・音声データを分離し、映像・音声データＳ１２０としてスイッチ回路１２４および復号回路１２２1〜１２２nに対して出力する。
【００２３】
なお、ＳＤＩデコーダ回路１１０およびＳＤＤＩデコーダ回路１２０は、それぞれＳＤＤＩ方式およびＳＤＩ方式の伝送用パケットが入力された場合には正常動作が必ずしも保証されず、映像・音声データＳ１１０、Ｓ１２０および制御信号Ｃ１１０、Ｃ１２０として意味のないデータが出力される場合がある。
しかし、スイッチ回路１３０が制御回路１４０の制御に従って最終的に正常なデータのみを選択することにより映像・音声データがモニタ装置１５０に表示されることはない。また、制御信号Ｃ１１０、Ｃ１２０として入力されたデータが意味がない場合には、制御回路１４０がこれらのデータを廃棄する等の対応を行うことにより、データ表示装置１全体としての正常動作を保証することができる。
【００２４】
復号回路１２２1〜１２２nは、それぞれ異なる圧縮符号化方式により圧縮符号化された映像・音声データを伸長復号する復号回路であって、それぞれ制御信号Ｃ１２２1〜Ｃ１２２nとバス１４４とを介し、ＳＤＤＩデコーダ回路１２０から入力されたブロックタイプ（図３（Ｂ））の内容に基づく制御回路１４０の制御に従い、ヘッダのＡＵＸ領域に含まれるデータを用いて、ＳＤＤＩデコーダ回路１２０から入力された映像・音声データＳ１２０を伸長復号し、復号映像・音声データＳ１２２1〜Ｓ１２２nとしてスイッチ回路１２４に対して出力する。
【００２５】
スイッチ回路１２４は、制御信号Ｃ１２４とバス１４４とを介し、ＳＤＤＩデコーダ回路１２０から入力されたブロックタイプの内容に基づく制御回路１４０の制御に従って、ＳＤＤＩデコーダ回路１２０から入力される非圧縮の映像・音声データおよび復号映像・音声データＳ１２２1〜Ｓ１２２nのいずれかを選択して選択映像・音声データＳ１２４として記憶装置１２６に対して出力する。
【００２６】
記憶装置１２６は、例えばＲＡＭを用いた記憶回路、あるいは、ハードディスク（ＨＤ）または光磁気ディスク（ＭＯ）等を用いた記録装置であって、制御信号Ｃ１２６とバス１４４とを介した制御回路１４０の制御に従って、選択映像・音声データＳ１２４を記憶または記録し、記憶または記録した選択映像・音声データを選択映像・音声データＳ１２６としてスイッチ回路１３０に対して出力する。
スイッチ回路１３０は、制御信号Ｃ１３０とバス１４４とを介し、ＳＤＤＩデコーダ回路１２０から入力されたデータタイプ（図３（Ｂ））の内容に基づく制御回路１４０の制御に従って、ＳＤＩデコーダ回路１１０から入力される非圧縮の映像・音声データ、および、記憶装置１２６から入力される選択映像・音声データのいずれかを選択して、出力映像・音声データＳ１３０としてＶＩＦ回路１３４に対して出力する。
【００２７】
ＣＧ回路１３２は、制御信号Ｃ１３２とバス１４４とを介した制御回路１４０の制御に従って、モニタ装置１５０に表示する文字・図形のデータを生成し、文字・図形データＳ１３２としてＶＩＦ回路１３４に対して出力する。
ＶＩＦ回路１３４は、出力映像・音声データＳ１３０と文字・図形データＳ１３２とを合成し、アナログ形式の映像・音声信号に変換してモニタ装置１５０に対して出力する。
【００２８】
モニタ装置１５０は、陰極線管（ＣＲＴ）あるいは液晶表示装置を用いた表示装置であって、ＶＩＦ回路１３４から入力された映像・音声信号をデータ表示装置１の利用者に表示する。
制御回路１４０は、データ表示装置１の各構成要素から入力される各データおよび端末装置１４２を介してデータ表示装置１の利用者から入力された操作データに従って、データ表示装置１の各構成要素の処理・動作を制御する。
【００２９】
以下、データ表示装置１の動作を説明する。
ＢＮＣコネクタ１００を介して伝送路からデータ表示装置１に入力された伝送信号ＶＤは、Ｓ／Ｐ回路１０２により１０ビットパラレル形式のデータに変換され、ＳＤＩデコーダ回路１１０およびＳＤＤＩデコーダ回路１２０に入力される。
ＳＤＩデコーダ回路１１０は、水平ブランキング期間に含まれることがある制御用データ等を制御回路１４０に対して出力し、非圧縮映像・音声データを分離してスイッチ回路１３０に対して出力する。
【００３０】
ＳＤＤＩデコーダ回路１２０は、図３に示したＳＤＤＩ方式の伝送用パケットのアンシラリ領域のヘッダに含まれる各データ等を制御回路１４０に対して出力し、ペイロード部に含まれる圧縮映像・音声データまたは非圧縮映像・音声データを分離し、復号回路１２２1〜１２２nとスイッチ回路１２４とに対して出力する。
【００３１】
ここで、例えば復号回路１２２1がＭＰＥＧ１用の伸長復号処理を行い、復号回路１２２2がＭＰＥＧ２用の伸長復号処理を行い、復号回路１２２3がＪＰＥＧ用の伸長復号処理を行うように構成されている場合、制御回路１４０は、ＳＤＤＩデコーダ回路１２０から入力されたブロックタイプの内容が、その伝送用パケットのペイロード部にＭＰＥＧ１の圧縮映像・音声データが含まれていることを示している場合には復号回路１２２1を起動して伸長復号処理を行わせるといったように、ブロックタイプで示されるペイロード部の圧縮映像・音声データの圧縮符号化に対応する復号回路１２２1〜１２２nのいずれかを起動して伸長復号処理を行わせ、その結果得られた復号映像・音声データＳ１２２i（１≦ｉ≦ｎ）をスイッチ回路１２４に対して出力させる。
【００３２】
制御回路１４０は、スイッチ回路１２４を制御して、ＳＤＤＩ方式の伝送用パケットに非圧縮映像・音声データが含まれている場合には、スイッチ回路１２４に映像・音声データＳ１２０を選択させ、この場合以外は、伸長復号処理を行っている復号回路１２２1〜１２２nのいずれかからの復号映像データＳ１２２iを選択させ、記憶装置１２６に対して出力させ、必要に応じて記憶装置１２６に記憶させる。
【００３３】
さらに、制御回路１４０は、記憶装置１２６を制御し、記憶した選択・音声データを読み出させてスイッチ回路１３０に対して出力させる。
制御回路１４０は、ＳＤＤＩデコーダ回路１２０が伝送用パケットのアンシラリデータ部のヘッダの第４Ｗの内容が０１ｈ、つまりその伝送用パケットがＳＤＤＩ方式の伝送用パケットである場合には、選択映像・音声データＳ１２６を選択させ、００ｈでも０１ｈでもない場合には、映像・音声データＳ１１０を選択させ、ＶＩＦ回路１３４に対して出力させる。
【００３４】
なお、ヘッダの第４Ｗ（図３（Ｂ）；データタイプ（ＩＤ））の内容が００ｈである場合には、データ表示装置１の構成により、選択映像・音声データＳ１２６または映像・音声データＳ１１０が選択される。つまり、制御回路１４０は、ＳＤＩデコーダ回路１１０がＳＤＤＩ方式の伝送用パケットがＳＤＩ対応である場合にも正常に動作する場合は、選択映像・音声データＳ１２６および映像・音声データＳ１１０のいずれを選択させてもよく、これ以外の場合には、選択映像・音声データＳ１２６を選択させる。
ＶＩＦ回路１３４はＣＧ回路１３２から入力された文字・図形データＳ１３２と出力映像・音声データＳ１３０とを合成し、アナログ形式の映像・音声信号としてモニタ装置１５０に表示させる。
【００３５】
以上説明したように、本発明に係るデータ表示装置１によれば、伝送信号に含まれる伝送用パケットがＳＤＩ方式のものであるか、ＳＤＤＩ方式のものであるかを自動的に判別してそれぞれに適合した処理を行ってモニタ装置１５０に表示することができる。従って、データ表示装置１の利用者は伝送信号の方式が変わるたびにアダプタ装置をＢＮＣコネクタ１００に前置する等の作業、あるいは、データ表示装置１の設定を変更する必要がない。従って、データ表示装置１はその利用者にとって使い勝手がよく、便利である。
また、本発明に係るデータ表示装置１によれば、データ表示装置１が自動的にＳＤＤＩ方式に含まれる圧縮映像・音声データに適合した伸長復号方法で処理してモニタ装置１５０に表示することができる。
【００３６】
なお、データ表示装置１の各部分の内、復号回路１２２1〜１２２nは、それぞれ別個のハードウェアとして構成しても、同一のハードウェアの設定を制御回路１４０が変更することにより構成してもよい。
また、データ表示装置１の各部分は、ソフトウェア的手段により実現されるか、ハードウェア的手段により実現されるかを問わない。
【００３７】
また、データ表示装置１においては、ＳＤＤＩ方式およびＳＤＩ方式により映像・音声データを伝送する場合について示したが、例えばモニタ装置１５０等の代わりに計算機を接続し、データ表示装置１を計算機用のデータを伝送するために用いてもよい。
また、記憶装置１２６あるいはＣＧ回路１３２は、不要ならば取り除いて構成してもよい。
また、ＢＮＣコネクタ１００によらず、他の種類の接続手段によりデータ表示装置１と伝送路とを接続するように構成してもよい。
以上説明した実施例に示した他、本発明に係るデータ表示装置１は、例えばこれらの変形例のように、種々の構成をとることができる。
なお、上述したデータ表示装置は受信装置としても使用可能である。
【図面の簡単な説明】
【００３８】
【図１】本発明に係るデータ表示装置の構成を示す図である。
【図２】ＳＭＰＴＥ−２９５Ｍに標準化されているＳＤＩ方式の伝送用パケットの構成を示す図である。
【図３】図２に示したＳＤＩ方式を改良し、圧縮映像・音声データを伝送可能にしたＳＤＤＩ方式の伝送用パケットの構成を示す図である。
【符号の説明】
【００３９】
１…データ表示装置、１００…ＢＮＣコネクタ、１０２…Ｓ／Ｐ回路、１１０…ＳＤＩデコーダ回路、１２０…ＳＤＤＩデコーダ回路、１２２1〜１１２n…復号回路、１２４…スイッチ回路、１２６…記憶装置、１３０…スイッチ回路、１３２…ＣＧ回路、１３４…ＶＩＦ回路、１４０…制御回路、１４２…端末装置、１４４…バス、１５０…モニタ装置
【図１】
2007143174.tif 000003
【図２】
2007143174.tif 000004
【図３】
2007143174.tif 000005